【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
入力された映像信号を符号化する映像符号化手段と、
入力された音声信号を符号化する音声符号化手段と、
前記音声符号化手段の出力を用いて前記音声信号の特徴を検出し、前記音声信号の特徴に応じて前記映像信号の符号化のためのパラメータの値を決定する音声特徴検出手段とを備え、
前記映像符号化手段は前記音声特徴検出手段により決定されたパラメータの値に基づいて前記映像信号を符号化することを特徴とする信号処理装置。
【請求項２】
前記音声符号化手段は、前記音声信号の周波数特性を検出する周波数特性検出部と、前記検出された周波数特性に応じて前記音声信号を量子化する量子化部と有し、前記音声特徴検出手段は前記周波数特性検出部により検出された周波数特性の情報を用いて前記音声信号の特徴を検出することを特徴とする請求項１記載の信号処理装置。
【請求項３】
前記映像符号化手段は、前記入力された映像信号に対してフィルタ処理を実行する前置フィルタを有し、前記パラメータは、前記前置フィルタのフィルタ特性を含むことを特徴とする請求項１または２記載の信号処理装置。
【請求項４】
前記映像符号化手段は、前記映像信号の動きベクトルを探索する動き予測部と、前記動きベクトルを用いて前記映像信号に対して動き補償処理を行う動き補償部とを有し、前記パラメータは、前記動き予測部が探索する探索範囲の大きさを含むことを特徴とする請求項１または２記載の信号処理装置。
【請求項５】
前記映像符号化手段は、前記動き補償処理された映像信号を離散コサイン変換処理するＤＣＴ処理部と、前記ＤＣＴ処理部からの出力を量子化する量子化部と、前記量子化部が量子化するときの量子化係数を制御する量子化係数制御部とを有し、前記パラメータは、前記量子化係数制御部の制御方法を含むことを特徴とする請求項４記載の信号処理装置。
【請求項６】
前記映像符号化手段は、前記映像信号の特徴を検出する特徴検出部を有し、前記量子化係数制御部は前記特徴検出部の出力を用いて前記量子化係数を制御し、前記パラメータは、前記特徴検出部の特徴検出方法を含むことを特徴とする請求項５記載の信号処理装置。
【請求項７】
入力された映像信号を符号化する手段であって、前記映像信号の動きベクトルを探索する動き予測部と、前記動きベクトルを用いて前記映像信号に対して動き補償処理を行う動き補償部とを有する映像符号化手段と、
入力された音声信号を符号化する音声符号化手段と、
前記音声信号の周波数特性を検出する周波数特性検出手段と、
前記周波数特性検出手段により検出された周波数特性に基づいて前記音声信号の特徴を検出し、前記映像信号動き予測部が探索する探索範囲を前記音声信号の特徴に応じて決定する音声特徴検出手段とを備え、
前記動き予測部は前記音声特徴検出手段により決定された探索範囲に応じて動きベクトル探索を行うことを特徴とする信号処理装置。
【請求項８】
入力された映像信号を符号化する映像符号化ステップと、
入力された音声信号を符号化する音声符号化ステップと、
前記音声符号化ステップでの出力を用いて前記音声信号の特徴を検出し、前記音声信号の特徴に応じて前記映像信号の符号化のためのパラメータの値を決定する音声特徴検出ステップとを備え、
前記映像符号化ステップは前記音声特徴検出ステップにより決定されたパラメータの値に基づいて前記映像信号を符号化することを特徴とする信号処理方法。
【請求項９】
入力された映像信号を符号化するステップであって、前記映像信号の動きベクトルを探索する動き予測部と、前記動きベクトルを用いて前記映像信号に対して動き補償処理を行う動き補償部とを有する映像符号化ステップと、
入力された音声信号を符号化する音声符号化ステップと、
前記音声信号の周波数特性を検出する周波数特性検出ステップと、
前記周波数特性検出ステップにより検出された周波数特性に基づいて前記音声信号の特徴を検出し、前記映像信号動き予測部が探索する探索範囲を前記音声信号の特徴に応じて決定する音声特徴検出ステップとを備え、
前記動き予測部は前記音声特徴検出ステップにより決定された探索範囲に応じて動きベクトル探索を行うことを特徴とする信号処理方法。
【手続補正２】
【補正対象書類名】明細書
【補正対象項目名】発明の名称
【補正方法】変更
【補正の内容】
【発明の名称】信号処理装置及び信号処理方法
【手続補正３】
【補正対象書類名】明細書
【補正対象項目名】０００１
【補正方法】変更
【補正の内容】
【０００１】
本発明は、信号処理装置及び信号処理方法に関し、特に、映像信号とそれに付随する音声信号とを圧縮、符号化して記録する信号処理装置及び信号処理方法に関する。
【手続補正４】
【補正対象書類名】明細書
【補正対象項目名】０００８
【補正方法】変更
【補正の内容】
【０００８】
本発明の目的は、音声信号から推定した被写体の特徴に適した符号化パラメータを用いて効率的に映像信号を符号化することができる信号処理装置及び信号処理方法を提供することにある。
【手続補正５】
【補正対象書類名】明細書
【補正対象項目名】０００９
【補正方法】変更
【補正の内容】
【０００９】
上述の目的を達成するために、請求項１記載の信号処理装置は、入力された映像信号を符号化する映像符号化手段と、入力された音声信号を符号化する音声符号化手段と、前記音声符号化手段の出力を用いて前記音声信号の特徴を検出し、前記音声信号の特徴に応じて前記映像信号の符号化のためのパラメータの値を決定する音声特徴検出手段とを備え、前記映像符号化手段は前記音声特徴検出手段により決定されたパラメータの値に基づいて前記映像信号を符号化することを特徴とする。
【手続補正６】
【補正対象書類名】明細書
【補正対象項目名】００１０
【補正方法】変更
【補正の内容】
【００１０】
請求項２記載の信号処理装置は、請求項１記載の信号処理装置において、前記音声符号化手段は、前記音声信号の周波数特性を検出する周波数特性検出部と、前記検出された周波数特性に応じて前記音声信号を量子化する量子化部と有し、前記音声特徴検出手段は前記周波数特性検出部により検出された周波数特性の情報を用いて前記音声信号の特徴を検出することを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項３記載の信号処理装置は、請求項１または２記載の信号処理装置において、前記映像符号化手段は、前記入力された映像信号に対してフィルタ処理を実行する前置フィルタを有し、前記パラメータは、前記前置フィルタのフィルタ特性を含むことを特徴とする。
【手続補正９】
【補正対象書類名】明細書
【補正対象項目名】００１３
【補正方法】変更
【補正の内容】
【００１３】
請求項４記載の信号処理装置は、請求項１または２記載の信号処理装置において、前記映像符号化手段は、前記映像信号の動きベクトルを探索する動き予測部と、前記動きベクトルを用いて前記映像信号に対して動き補償処理を行う動き補償部とを有し、前記パラメータは、前記動き予測部が探索する探索範囲の大きさを含むことを特徴とする。
【手続補正１０】
【補正対象書類名】明細書
【補正対象項目名】００１４
【補正方法】変更
【補正の内容】
【００１４】
請求項５記載の信号処理装置は、請求項４記載の信号処理装置において、前記映像符号化手段は、前記動き補償処理された映像信号を離散コサイン変換処理するＤＣＴ処理部と、前記ＤＣＴ処理部からの出力を量子化する量子化部と、前記量子化部が量子化するときの量子化係数を制御する量子化係数制御部とを有し、前記パラメータは、前記量子化係数制御部の制御方法を含むことを特徴とする。
【手続補正１１】
【補正対象書類名】明細書
【補正対象項目名】００１５
【補正方法】変更
【補正の内容】
【００１５】
請求項６記載の信号処理装置は、請求項５記載の信号処理装置において、前記映像符号化手段は、前記映像信号の特徴を検出する特徴検出部を有し、前記量子化係数制御部は前記特徴検出部の出力を用いて前記量子化係数を制御し、前記パラメータは、前記特徴検出部の特徴検出方法を含むことを特徴とする。
【手続補正１２】
【補正対象書類名】明細書
【補正対象項目名】００１６
【補正方法】変更
【補正の内容】
【００１６】
上述の目的を達成するために、請求項７記載の信号処理装置は、入力された映像信号を符号化する手段であって、前記映像信号の動きベクトルを探索する動き予測部と、前記動きベクトルを用いて前記映像信号に対して動き補償処理を行う動き補償部とを有する映像符号化手段と、入力された音声信号を符号化する音声符号化手段と、前記音声信号の周波数特性を検出する周波数特性検出手段と、前記周波数特性検出手段により検出された周波数特性に基づいて前記音声信号の特徴を検出し、前記映像信号動き予測部が探索する探索範囲を前記音声信号の特徴に応じて決定する音声特徴検出手段とを備え、前記動き予測部は前記音声特徴検出手段により決定された探索範囲に応じて動きベクトル探索を行うことを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
上述の目的を達成するために、請求項８記載の信号処理方法は、入力された映像信号を符号化する映像符号化ステップと、入力された音声信号を符号化する音声符号化ステップと、前記音声符号化ステップでの出力を用いて前記音声信号の特徴を検出し、前記音声信号の特徴に応じて前記映像信号の符号化のためのパラメータの値を決定する音声特徴検出ステップとを備え、前記映像符号化ステップは前記音声特徴検出ステップにより決定されたパラメータの値に基づいて前記映像信号を符号化することを特徴とする。
【手続補正１６】
【補正対象書類名】明細書
【補正対象項目名】００２０
【補正方法】変更
【補正の内容】
【００２０】
上述の目的を達成するために、請求項９記載の信号処理方法は、入力された映像信号を符号化するステップであって、前記映像信号の動きベクトルを探索する動き予測部と、前記動きベクトルを用いて前記映像信号に対して動き補償処理を行う動き補償部とを有する映像符号化ステップと、入力された音声信号を符号化する音声符号化ステップと、前記音声信号の周波数特性を検出する周波数特性検出ステップと、前記周波数特性検出ステップにより検出された周波数特性に基づいて前記音声信号の特徴を検出し、前記映像信号動き予測部が探索する探索範囲を前記音声信号の特徴に応じて決定する音声特徴検出ステップとを備え、前記動き予測部は前記音声特徴検出ステップにより決定された探索範囲に応じて動きベクトル探索を行うことを特徴とする。
【手続補正１７】
【補正対象書類名】明細書
【補正対象項目名】００２１
【補正方法】変更
【補正の内容】
【００２１】
請求項１記載の信号処理装置、請求項８記載の信号処理方法によれば、入力された音声信号を符号化して音声信号の特徴を検出し、検出された恩師信号の特徴に応じて映像信号の符号化のためのパラメータの値を決定し、決定されたパラメータの値に基づいて映像信号を符号化するので、音声信号から推定した被写体の特徴に適した符号化パラメータを用いて効率的に映像信号を符号化することができる。
【手続補正１８】
【補正対象書類名】明細書
【補正対象項目名】００２２
【補正方法】変更
【補正の内容】
【００２２】
請求項２記載の信号処理装置によれば、検出された周波数特性に応じて音声信号を量子化し、検出された周波数特性の情報を用いて音声信号の特徴を検出するので、音声信号から被写体を推定することができる。
【手続補正１９】
【補正対象書類名】明細書
【補正対象項目名】００２３
【補正方法】変更
【補正の内容】
【００２３】
請求項３記載の信号処理装置によれば、上記パラメータは、前置フィルタのフィルタ特性を含むので、効率的に映像信号を符号化することができる。
【手続補正２０】
【補正対象書類名】明細書
【補正対象項目名】００２４
【補正方法】変更
【補正の内容】
【００２４】
請求項４記載の信号処理装置によれば、上記パラメータは、動き予測部が探索する探索範囲の大きさを含むので、効率的に映像信号を符号化することができる。
【手続補正２１】
【補正対象書類名】明細書
【補正対象項目名】００２５
【補正方法】変更
【補正の内容】
【００２５】
請求項５記載の信号処理装置によれば、上記パラメータは、量子化係数制御部の制御方法を含むので、効率的に映像信号を符号化することができる。
【手続補正２２】
【補正対象書類名】明細書
【補正対象項目名】００２６
【補正方法】変更
【補正の内容】
【００２６】
請求項６記載の信号処理装置によれば、上記パラメータは、特徴検出部の特徴検出方法を含むので、効率的に映像信号を符号化することができる。
【手続補正２３】
【補正対象書類名】明細書
【補正対象項目名】００２７
【補正方法】削除
【補正の内容】